(57)【要約】【課題】  リベットの傾きを最小限に抑え、良好な開栓性を具備させることができる。【解決手段】  缶蓋本体１０の上面１０ａにおけるリベット１１を挟んで開口部１４と対向した対向領域のうち、コイニング部２０ａより径方向外方、かつディンプル１２より径方向内方に、リベット１１の外周に沿うように径方向外方へ凸とされた円弧形状のリベット傾き抑止スコア１８が形成されている。【選択図】    図１
2005335808.tif 000002
【特許請求の範囲】
【請求項１】
缶蓋本体の上面に、上方に向って凸とされたリベットと、主スコアにより画成された開口部とが形成され、前記開口部の上に一端部側が重なるように前記リベットに固着されたタブを備え、前記缶蓋本体上下面における前記リベットに連なる当該リベットの周辺部は、前記缶蓋本体上下面のうち前記周辺部を除く他部より高硬度とされたコイニング部とされた缶蓋であって、
前記缶蓋本体の上面における前記リベットを挟んで前記開口部と対向した対向領域のうち、前記リベットを中心とした半径３ｍｍ以上８ｍｍ以下の領域に、前記コイニング部を回避して、前記リベットの外周に沿うように径方向外方へ凸とされた円弧形状のリベット傾き抑止スコアが形成されていることを特徴とする缶蓋。
【請求項２】
請求項１記載の缶蓋において、
前記リベット傾き抑止スコアは、前記缶蓋本体の上面を平面視して、その両端部を結ぶ仮想直線が前記リベットの外周縁を通るように位置されていることを特徴とする缶蓋。
【請求項３】
請求項１または２に記載の缶蓋において、
前記リベットは、缶蓋本体の上面に直交する直線に対して、前記タブの前記他端部側に０°以上３．５°以下傾いていることを特徴とする缶蓋。
【請求項４】
請求項１または２に記載の缶蓋において、
缶体の開口部に巻き締められてなる缶の内圧を０．２ＭＰａとしたときに、前記リベットが、缶軸に対して前記タブの前記他端部側に０°以上２．０°以下傾く構成とされたことを特徴とする缶蓋。
【請求項５】
請求項１から４のいずれかに記載の缶蓋において、
前記対向領域の径方向外方部には、径方向内周縁が前記タブの前記他端に沿うような指かけ凹部が形成され、
前記対向領域における、前記リベット傾き抑止スコアより径方向外方、かつ前記指かけ凹部の径方向内周縁より径方向内方位置に、補助スコアが形成されていることを特徴とする缶蓋。
【請求項６】
請求項１から５のいずれかに記載の缶蓋において、
前記リベット傾き抑止スコアは、スコアレシジュアル（残厚）が、前記缶蓋本体の板厚の０．２５倍以上０．７５倍以下とされていることを特徴とする缶蓋。
【発明の詳細な説明】
【技術分野】
【０００１】
本発明は、缶体の開口部に巻締められる缶蓋に関するものである。
【背景技術】
【０００２】
この種の缶蓋は一般に、缶蓋本体の上面に、上方に向けて凸とされたリベットおよびディンプルと、主スコアにより画成された開口部とが形成され、前記ディンプルと前記開口部とは前記リベットを挟んで対向配置され、前記開口部の上に一端部側が重なる一方、前記ディンプルの上に他端部側が重なるように前記リベットに固着されたタブを備える概略構成とされ、このタブには、前記他端部に当該タブの厚さ方向に開口したフィンガーホールが形成されている。ディンプルは一般に、缶蓋本体上面に２つ形成されており、これらのディンプルはそれぞれ、前記開口部の周方向における中央とリベットの中心とを結ぶ直線を挟んで対向して位置するように形成され、これにより、タブにリベットを中心に回転しようとする力が作用した場合でも、タブの下面側がディンプルにより保持され、このタブの回転移動を防止できるようになっている。
【０００３】
そして、このように構成された缶蓋は、内容物が充填された缶体の開口部に巻締められて缶が形成され、需要者においては、タブの前記フィンガーホールを画成する周壁部のうち、当該タブの前記他端に位置する周壁部（以下、単に「引き上げ部」という）を引き上げることにより、このタブの前記一端部が開口部を押圧して主スコアを破断することにより開口されるようになっている。ここで、前記主スコアの一部は、いわゆるコイニング部と称される缶蓋本体の上面における前記リベットに連なる当該リベットの周辺部に位置しており、タブの前記引き上げ部を引き上げた当初において、容易に前記主スコアを破断させ始めることができるようになっている。
【０００４】
ところで従来から、缶を開栓する際に、缶蓋本体の上面とタブの前記引き上げ部との間に指が入り難く、タブの前記引き上げ部を良好に引き上げることが困難であるという問題があった。このような缶の開栓性に係る課題を解決するための手段が、従来から例えば下記特許文献１から４に示されるように種々提案されている。
【０００５】
まず、下記特許文献１においては、缶蓋本体の上面に、環状溝が形成されたその外周縁からタブの前記引き上げ部の直下まで延びる指かけ用凹部を形成した発明が開示されている。
かかる発明によれば、指かけ用凹部と前記引き上げ部との間に指が入り易くなるが、前記指かけ用凹部を前記環状溝から前記引き上げ部の直下まで延在させているので、缶蓋の耐圧強度が低下するおそれがあり、缶内圧が高い場合には不向きである。また、缶蓋製造工程では、缶蓋を積み重ねてチューブ搬送するが、一の缶蓋の前記指かけ用凹部の下面が、該下面と対向して位置する他の缶蓋のタブの上面に接触し、積み重ね方向で隣合う缶蓋のカール部同士の間に隙間が生ずる、いわゆるアコーディオン状となるため、スタッキング性が悪くなり良好な搬送性を具備させることが困難になるという問題があった。さらに、前記接触によって、他の缶蓋のタブに付着されている流動パラフィンが、該タブと対向して位置する一の缶蓋における前記指かけ用凹部の下面に転写される場合があった。この場合、缶の内容物が例えばビールであって、この内容物をグラス等の他の容器に注いだときに、該内容物を十分に泡立たせることが困難であるという問題があった。
【０００６】
次に、下記特許文献２には、前記タブを２段形状として、該タブの前記一端部側の下面を缶蓋本体上面と接触させるとともに、前記他端部側の下面と缶蓋本体上面との間に間隔を設けた状態で前記リベットに固着した構成が開示されている。
かかる発明によれば、前記引き上げ部を有するタブの前記他端部側の下面と缶蓋本体上面との間に隙間が設けられているので、この隙間に指を容易に入り込ませることが可能になり、良好な開栓性を具備させることができる。
しかしながら、この発明では、缶蓋製造工程において、この缶蓋を前記チューブ搬送する際に、一の缶蓋のタブの上面と該上面と対向して位置する他の缶蓋の下面とが接触して、前記特許文献１の缶蓋と同様に、良好な搬送性および泡立ち性を具備させることが困難であるという問題があった。
【０００７】
次に、下記特許文献３においては、缶蓋本体の上面のうちタブの前記引き上げ部と対向する位置に、副スコアを形成した発明が開示されている。
かかる発明によれば、缶内圧が上昇した際に、缶蓋本体上面において、前記開口部の形成された部分が他より大きく膨出変形するのではなく、前記開口部から前記副スコアにかけた領域全体を膨出変形させることによって、缶内圧上昇時に、前記引き上げ部と缶蓋本体上面との間の隙間が小さくなることを抑制できるようになっている。
しかしながら、この発明では、開口部から副スコアにかけた領域全体、すなわち缶蓋本体の上面が略全体的に膨出変形するに過ぎず、積極的に缶蓋本体の上面とタブの前記引き上げ部との間隙を大きくすることができるものではなかった。また、この文献１には、缶蓋本体の上面のうちタブの前記引き上げ部と対応する部分に、ビードを形成した発明が開示されており、この場合、さらに開栓性が良好になるといった記載がされているが、この構成では、輸送時に缶に作用する振動によって、タブとビードとが互いに衝突し合い、開口部を画成する主スコアが破断するおそれがある。
【０００８】
以上説明した缶蓋の開栓性に係る問題を解決するために、本発明者は、鋭意研究を行った結果、前記引き上げ部の下面と缶蓋本体上面との距離が小さくなるのは、缶蓋本体の上面に前記開口部を形成したとき、特に、前記コイニング部に主スコアの一部を形成したときに、該主スコアの一部とリベットとの間に位置する缶蓋本体上面のメタルが前記リベット側へ流れ、これにより、リベットがタブの前記他端部側（リベットを挟んで前記開口部と反対側）へ傾き、これに伴い、タブも前記一端部側が上方へ、前記他端部側が下方へそれぞれ移動して傾き、前記引き上げ部の下面と缶蓋本体の上面との距離が小さくなるといった知見を得るに至った。なお、前記傾きの角度は、缶蓋単体で、その軸線（缶蓋本体の上面に直交する直線）に対して４°以上あることが確認された。
【０００９】
このような知見のもとで、前記リベットの傾きを抑止するための手段としては、缶蓋本体の上面のうち、リベットを挟んで前記開口部と反対側の部分に、リベット傾き抑止用のスコアを形成する構成が考えられる。このような構成に近似する缶蓋として、例えば下記特許文献４から６に記載の発明がある。
【００１０】
まず、下記特許文献４においては、内容物が飲みやすい缶蓋を提供するために、缶蓋本体の上面のうち、リベットを挟んで前記開口部と反対側の部分に、該缶蓋本体上面の径方向中央部から周縁方向に向けて延出する副スコアを形成し、該副スコアに囲まれた部分は、前記タブを、該缶蓋本体上面と水平な面内において回転させることにより、このタブの前記一端部の下面に面することのできる位置に配置されており、前記タブを引き上げることによって、前記副スコアにより囲まれた部分を開口させて、前記タブの一端部を、該囲まれた部分に相当する開口部の内部に収容することができる缶蓋が開示されている。
しかしながら、この缶蓋では、前記副スコアに囲まれた部分を開口させるために、該副スコアの一部は前記コイニング部に位置されているので、クラックが発生し易い。
【００１１】
次に、下記特許文献５においては、落下強度の応力が集中し易いリベット近傍に、スコアと対向してリベット側にもう１箇所副スコアを設けて易折曲部を形成することにより、落下時の衝撃、水撃作用による応力を分散させて主スコアへの応力集中を防止して、主スコアの折曲変形や亀裂を防止できるとともに、落下時にリベットの傾きが矯正される缶蓋が開示されている。
しかしながら、この文献５に記載されている前記副スコアは、前記缶蓋本体上面における前記リベットに連なる当該リベットの周辺部（前記リベット近傍）に、該リベットの外周に沿うような略半円状に形成されており、つまり前記コイニング部に位置する虞があり、この場合クラックが発生し易い。
【００１２】
さらに、下記特許文献６では、リベットの周辺部に該リベットを囲うように、各々が直線状とされた複数の副スコアを設け、該周辺部を易変形部に形成することによって、前記引き上げ部を引き上げて前記開口部を開口するのに要する引き上げ力を低下する缶蓋が開示されている。
しかしながら、前記複数の副スコアが直線状とされているので、これらのスコアを形成した際に、缶蓋本体上面のメタルが前記リベットに向けて流れ難いため、リベットの前記傾きを矯正することができず、従って、この缶蓋では前記引き上げ力は低下するものの、指を前記引き上げ部と缶蓋本体上面との間に入れ難いことに変わりはなく、やはり良好な開栓性を具備させることはできない。
【特許文献１】実公平７−４４５９５号公報
【特許文献２】特開平４−４４９５０号公報
【特許文献３】登録実用新案第２５０８６３７号公報
【特許文献４】特許第３４６８５４８号公報
【特許文献５】特開平８−１６４９３５号公報
【特許文献６】特開平８−１１８８２号公報
【発明の開示】
【発明が解決しようとする課題】
【００１３】
本発明は、このような事情を考慮してなされたもので、缶蓋本体上面とタブの引き上げ部との間に容易に指を入り込ませることが可能になり、良好な開栓性を具備させることができる缶蓋を提供することを目的とする。
【課題を解決するための手段】
【００１４】
このような課題を解決して、前記目的を達成するために、本発明の缶蓋は、缶蓋本体の上面に、上方に向って凸とされたリベットと、主スコアにより画成された開口部とが形成され、前記開口部の上に一端部側が重なるように前記リベットに固着されたタブを備え、前記缶蓋本体上下面における前記リベットに連なる当該リベットの周辺部は、前記缶蓋本体上下面のうち前記周辺部を除く他部より高硬度とされたコイニング部とされた缶蓋であって、前記缶蓋本体の上面における前記リベットを挟んで前記開口部と対向した対向領域のうち、前記リベットを中心とした半径３ｍｍ以上８ｍｍ以下の領域に、前記コイニング部を回避して、前記リベットの外周に沿うように径方向外方へ凸とされた円弧形状のリベット傾き抑止スコアが形成されていることを特徴とする。
【発明の効果】
【００１５】
この発明によれば、前記主スコアを形成した際に、該主スコアと前記リベットとの間に位置する缶蓋本体上面のメタルが前記リベット側へ流れることにより、このリベットが前記タブの前記他端部側へ傾いた場合、若しくは傾こうとした場合でも、前記リベット傾き抑止スコアを形成することにより、このスコアと前記リベットとの間に位置する缶蓋本体上面のメタルが前記リベット側へ流れることによって、前記リベットの傾きを矯正、若しくは防止することが可能になる。従って、このリベットに固着されたタブの前記一端部が上方へ、前記他端部が下方へそれぞれ移動して、このタブが傾き、前記他端部の下面と缶蓋本体の上面との距離が小さくなることが抑制され、これらの下面と上面との間に指を容易に入り込ませることが可能になり、この缶蓋に良好な開栓性を具備させることができる。
【００１６】
また、この缶蓋を缶体の開口部に巻き締めた缶の構成において、缶内圧を上昇させると、前記リベット傾き抑止スコアは、その幅（該スコアの延在方向と直交する方向の大きさ）が拡がるように変形することになり、リベット傾き抑止スコアとリベットとの間に位置する缶蓋本体上面のメタルがさらに前記リベット側へ流されることになる。これにより、前記缶の構成において缶内圧が上昇した場合、つまり陽圧缶の場合には、前記主スコアを形成したことによる前記リベットの傾きをさらに小さくすることが可能になり、特に良好な開栓性を具備させることができる。
【００１７】
さらに、前記リベット傾き抑止スコアが、前記対向領域のうち、前記リベットを中心とした半径３ｍｍ以上８ｍｍ以下の領域に、前記コイニング部を回避して形成されているので、前述のように、缶蓋に良好な開栓性を具備させることができるとともに、缶内圧が上昇したり、あるいは缶が落下したときに、前記リベット傾き抑止スコアが折曲変形したり、破断することを防止することができる。従って、リベット傾き抑止スコアを形成したことにより、缶蓋の強度が低下することを抑制することができる。
【００１８】
ここで、前記リベット傾き抑止スコアは、前記缶蓋本体の上面を平面視して、その両端部を結ぶ仮想直線が前記リベットの外周縁を通るように位置されていることが望ましい。
この場合、該リベット傾き抑止スコアを形成したことによる缶蓋本体上面のメタル流れを、前記リベットの下端部外周側に十分な周長領域で作用させることが可能になり、前記主スコアを形成したことによる前記リベットの傾きを確実に抑止することができる。
【００１９】
また、前記リベットは、缶蓋本体の上面に直交する直線に対して、前記タブの前記他端部側に０°以上３．５°以下傾いていることが望ましい。さらに、この缶蓋を缶体の開口部に巻き締められてなる缶の内圧を０．２ＭＰａとしたときに、前記リベットが、缶軸に対して前記タブの前記他端部側に０°以上２．０°以下傾く構成とされたことが望ましい。
これらの場合、缶蓋本体上面とタブの前記他端部の下面との間に容易に指を入り込ませることができる。
【００２０】
ここで、前記対向領域の径方向外方部には、径方向内周縁が前記タブの前記他端に沿うような指かけ凹部が形成され、前記対向領域における、前記リベット傾き抑止スコアより径方向外方、かつ前記指かけ凹部の径方向内周縁より径方向内方位置に、補助スコアが形成されているのが望ましい。
【００２１】
この場合、前記補助スコアが形成されているので、前記リベット傾き抑止スコアを形成する際に、該スコアより径方向外方に位置する缶蓋本体上面のメタルが径方向外方へ流れるのを抑止することが可能になる。従って、リベット傾き抑止スコアを形成した際、主として、このスコアより径方向内方、つまりリベット側に位置する缶蓋本体上面のメタルをリベット側へ流れさせることが可能になり、リベットの傾きを確実に抑止することができる。
【００２２】
また、前記リベット傾き抑止スコアは、スコアレシジュアル（残厚）が、前記缶蓋本体の板厚の０．２５倍以上０．７５倍以下とされているのが望ましい。
この場合、リベットの傾きを抑止することができるとともに、缶蓋の強度低下を確実に抑制することができる。
【発明を実施するための最良の形態】
【００２３】
以下、図面を参照し、この発明の実施の形態について説明する。
図１および図２は、この発明の一実施形態として示した缶蓋の概略構成を示すものである。
この缶蓋は、アルミニウム若しくはアルミニウム合金により形成され、缶蓋本体１０の上面１０ａに、上方に向けて凸とされたリベット１１およびディンプル１２と、主スコア１３により画成された開口部１４とが形成され、ディンプル１２と開口部１４とはリベット１１を挟んで対向配置され、つまりディンプル１２はリベット１１を挟んで開口部１４とは反対側に配置され、開口部１４の上に一端部１５ａ側が重なる一方、ディンプル１２の上に他端部１５ｂ側が重なるようにリベット１１に固着されたタブ１５を備える概略構成とされている。また、この缶蓋本体１０の外周縁部には、全周に亙って凹溝１６が形成されるとともに、この凹溝１６の外周縁部に連なって、缶蓋本体上面１０ａの上方に向って延び、かつ径方向外方に折り返された折り返し部１７が形成されている。
【００２４】
タブ１５の他端部１５ｂには、このタブ１５の厚さ方向に開口したフィンガーホール１５ｃが形成されており、このフィンガーホール１５ｃを画成する周壁部のうち、タブ１５の前記他端に位置する周壁部が、この缶蓋の開口部１４を開口させる際に引き上げる引き上げ部１５ｄとされている。
缶蓋本体上面１０ａにおいて、リベット１１を挟んで開口部１４と対向する対向領域、つまりリベット１１を挟んで開口部１４と反対側の領域には、凹溝１６とは独立して、径方向内周縁がタブ１５の引き上げ部１５ｄに沿う構成とされた指かけ凹部１０ｂが形成されている。
【００２５】
ディンプル１２は、缶蓋本体上面１０ａに２つ形成されており、これらのディンプル１２、１２はそれぞれ、開口部１４の周方向における中央とリベット中心軸Ｏとを結ぶ直線を挟んで対向して位置するように形成され、これらのディンプル１２、１２の上に、タブ１５のフィンガーホール１５ｃを画成する周壁部のうち、引き上げ部１５ｄと対向配置された第２周壁部１５ｅの両端部の下面側が配置された構成となっている。すなわち、図１（ｂ）に示すように、ディンプル１２はタブ１５の他端部１５ｂにおける下面側外縁部が引っ掛かかる位置に形成されており、これにより、タブ１５にリベット中心軸Ｏを中心に回転しようとする力が作用した場合でも、タブ１５の前記外縁部がディンプル１２、１２に引っ掛かり、このタブ１５の回転移動を防止できるようになっている。
【００２６】
ところで、このように構成された缶蓋本体１０において、リベット１１にタブ１５を固着するに際しては、径方向中央部が平坦面とされた缶蓋本体に、まず、缶蓋本体上面に上方に向けて凸とされたニップル部を押圧成形する。そして、このニップル部にタブ１５を挿入配置した後に、このニップル部を缶蓋本体上面１０ａ側から押し潰してリベット１１を形成するとともに、このニップル部の周辺部に位置するタブ１５を押圧することにより、リベット部１１にタブ１５を固着する。
【００２７】
以上の工程において、ニップル部を形成する際には、缶蓋本体１０のメタルがニップル部に寄せられ、また、このニップル部を押し潰してリベット１１を形成するとともに、このリベット１１にタブ１５を固着する際には、ニップル部および缶蓋本体１０の上下面におけるリベット１１に連なるこのリベット１１の周辺部が厚さ方向に押圧されることになる。これにより、リベット１１の前記周辺部（以下、この部分を単に「コイニング部２０ａ」という）は、缶蓋本体１０の上下面の中で特に硬度が高くなっている。
そして、このコイニング部２０ａに、主スコア１３の一部が位置しており、タブ１５の引き上げ部１５ｄを引き上げた当初において、容易に主スコア１３を破断させ始めることができるようになっている。
【００２８】
ここで、缶蓋本体上面１０ａにおけるリベット１１を挟んで開口部１４と対向した対向領域、つまりリベット１１を挟んで開口部１４と反対側の領域のうち、リベット１１を中心とした半径３ｍｍ以上８ｍｍ以下の領域に、コイニング部２０ａを回避して、リベット１１の外周部に沿うように径方向外方へ凸とされた円弧形状のリベット傾き抑止スコア１８が形成され、該リベット傾き抑止スコア１８は、図１に示すように、缶蓋本体上面１０ａを平面視して、その両端部を結ぶ仮想直線Ｌがリベット１１の外周縁を通るように位置されている。
また、該スコア１８は、缶蓋本体上面１０ａの前記対向領域のうち、リベット中心軸Ｏを中心とした角度７０°以上１９０°以下の範囲に、主スコア１３とは独立して接触しないように形成されている。
【００２９】
さらに、リベット傾き抑止スコア１８の径方向における頂部は、フィンガーホール１５ｃを画成する周壁部のうち、引き上げ部１５ｄと対向配置された第２周壁部１５ｅの下に位置している。また、このリベット傾き抑止スコア１８は、本実施形態では、図１に示されるように、リベット中心軸Ｏと同心とされた単一の円弧（半径約７ｍｍ）とされるとともに、缶蓋本体上面１０ａにおいてタブ１５と対応する領域のうち、タブ１５の幅方向全域に亙って連続して形成されている。
【００３０】
さらに本実施形態では、前記対向領域における、リベット傾き抑止スコア１８の径方向外方頂部より径方向外方、かつ指かけ凹部１０ｂの径方向内周縁より径方向内方位置に、補助スコア１８ａが形成されている。この補助スコア１８ａは、リベット中心軸Ｏとタブ１５若しくは開口部１４の周方向中央部とを結ぶ直線上に、少なくとも一部が位置していればよく、該直線に対して均等に割振られた図１に示す構成であればより望ましい。
【００３１】
なお、リベット傾き抑止スコア１８および補助スコア１８ａをリベット１１の中心軸Ｏと同心とされた単一の円弧とした構成を示したが、この円弧の中心はリベット１１の中心軸Ｏに限られるものではなく、また、単一の円弧に限られず複数の円弧および直線を連続させた構成であってもよい。さらにまた、リベット傾き抑止スコア１８および補助スコア１８ａを複数の直線状の破断線により、前記円弧形状に形成したものであってもよい。
【００３２】
リベット傾き抑止スコア１８は、その全長が１０ｍｍ以上とされ、缶蓋本体１０の板厚が０．２０ｍｍ〜０．３２ｍｍのとき、図３に示すように、スコアレシジュアル（残厚）、つまり該スコア１８の底面１８ｂと缶蓋本体１０の下面１０ｃとの距離（以下、「ＳＲ値」という）が、０．０５ｍｍ〜０．２４ｍｍとされ、すなわち缶蓋本体１０の板厚の０．２５倍以上０．７５倍以下とされて形成されている。また、リベット傾き抑止スコア１８の幅Ｃは０．０３５ｍｍ〜０．１２ｍｍとされている。リベット傾き抑止スコア１８のより好ましい大きさとしては、缶蓋本体１０の板厚が約０．２８０ｍｍのときに、前記ＳＲ値が約０．１４０ｍｍ、前記底面１８ｂにおける幅Ｃが約０．０３５ｍｍ、缶蓋本体上面１０ａと前記底面１８ｂとの距離（深さ）Ｄが約０．１４０ｍｍとされるとともに、互いに対向する、前記底面１８ｂから缶蓋本体上面１０ａに向けて立上がる立上がり面１８ｃ同士のなす角度θが約６５°とされる。
【００３３】
なお、主スコア１３は、その深さが０．０８ｍｍ〜０．１３ｍｍとされ、その幅が約０．０３５ｍｍとされている。すなわち、リベット傾き抑止スコア１８は、その幅が主スコア１３の幅以上とされ、その深さが主スコア１３の深さ以下とされている。また、主スコア１３およびリベット傾き抑止スコア１８の幅とは、それぞれのスコア１３および１８のうち、缶蓋本体上面１０ａの表面から、これを凹ませる方向に最も離間した部分、すなわち底面における、前記スコア１３および１８がそれぞれ延在する方向と直交する方向の大きさのことをいう。
【００３４】
以上のようにリベット傾き抑止スコア１８および主スコア１３を形成すると、リベット１１は、缶蓋本体上面１０ａに直交する直線に対して、タブ１５の他端部１５ｂ側に０°以上３．５°以下傾き、また、この缶蓋本体１０を缶体の開口部に巻き締めた缶において、その内圧を０．２ＭＰａとしたときに、リベット１１が、缶軸に対してタブ１５の他端部１５ｂ側に０°以上２．０°以下傾くようになっている。
さらに、補助スコア１８ａは、リベット傾き抑止スコア１８よりも０．０２０ｍｍ以上０．１００ｍｍ以下深さが浅くされている。
【００３５】
以上説明したように本実施形態による缶蓋によれば、主スコア１３を形成した際に、該主スコア１３とリベット１１との間に位置する缶蓋本体上面１０ａのメタルがリベット１１側へ流れることにより、このリベット１１がタブ１５の前記他端部１５ｂ側へ傾いた場合、若しくは傾こうとした場合でも、リベット傾き抑止スコア１８を形成することにより、このスコア１８とリベット１１との間に位置する缶蓋本体上面１０ａのメタルがリベット１１側へ流されることによって、リベット１１の傾きを抑止することが可能になる。
【００３６】
従って、このリベット１１に固着されたタブ１５の前記一端部１５ａが上方へ、前記他端部１５ｂが下方へそれぞれ移動して、このタブ１５が傾き、前記引き上げ部１５ｄの下面と缶蓋本体上面１０ａとの距離が小さくなることが抑制され、これら１０ａ、１０ｄの下面と上面との間に指を容易に入り込ませることが可能になり、この缶蓋１０に良好な開栓性を具備させることができる。
【００３７】
また、この缶蓋を缶体の開口部に巻き締めた缶の構成において、缶内圧を上昇させると、リベット傾き抑止スコア１８は、その幅（該スコア１８の延在方向と直交する方向の大きさ）が拡がるように変形することになり、リベット傾き抑止スコア１８とリベット１１との間に位置する缶蓋本体上面１０ａのメタルがさらにリベット１１側へ流されることになる。これにより、前記缶の構成において缶内圧が上昇した場合、つまり陽圧缶の場合には、主スコア１３を形成したことによるリベット１１の傾きをさらに小さくすることが可能になり、特に良好な開栓性を具備させることができる。
【００３８】
さらに、リベット傾き抑止スコア１８が、前記対向領域のうち、リベット中心軸Ｏとした半径３ｍｍ以上８ｍｍ以下の領域に、コイニング部２０ａを回避して形成されているので、前述のように、缶蓋１０に良好な開栓性を具備させることができるとともに、缶内圧が上昇したり、あるいは缶が落下したときに、リベット傾き抑止スコア１８が折曲変形したり、破断することを防止することができる。従って、リベット傾き抑止スコア１８を形成したことにより、缶蓋１０の強度が低下することを抑制することができる。
【００３９】
さらにまた、前記円弧形状とされたリベット傾き抑止スコア１８は、缶蓋本体上面１０ａを平面視して、その両端部を結ぶ仮想直線Ｌがリベット１１の外周縁を通るように位置されているので、該リベット傾き抑止スコア１８を形成したことによる缶蓋本体上面１０ａのメタル流れを、リベット１１の下端部外周側に十分な周長領域で作用させることが可能になり、主スコア１３を形成したことによるリベット１１の傾きを確実に抑止することができる。
【００４０】
さらに、補助スコア１８ａが形成されているので、リベット傾き抑止スコア１８を形成する際に、該スコア１８より径方向外方に位置する缶蓋本体１０のメタルが径方向外方へ流れるのを抑止することが可能になる。従って、リベット傾き抑止スコア１８を形成した際、主として、このスコア１８より径方向内方、つまりリベット１１側に位置する缶蓋本体１０のメタルをリベット１１側へ流れさせることが可能になり、リベット１１の傾きを確実に抑止することができる。
さらにまた、リベット傾き抑止スコア１８は、スコアレシジュアル（残厚）が、缶蓋本体１０の板厚の０．２５倍以上０．７５倍以下とされているので、リベット１１の傾きを抑止することができるとともに、缶蓋の強度低下を確実に抑制することができる。
【００４１】
ここで、以上の作用効果についての検証試験を実施した。
実施例１として、図１および図２に示す缶蓋１０において、缶蓋本体１０の板厚を０．２８ｍｍとするとともに、リベット傾き抑止スコア１８のＳＲ値を０．２２ｍｍとし、補助スコア１８ａを除いた缶蓋を形成し、また、実施例２として、前記缶蓋１０において、缶蓋本体１０の板厚を０．２８ｍｍとするとともに、リベット傾き抑止スコア１８のＳＲ値を０．１７ｍｍとし、補助スコア１８ａを除いた缶蓋を形成し、比較例として、前記缶蓋１０において、リベット傾き抑止スコア１８および補助スコア１８ａを除いた従来の缶蓋を形成した。なお、これらの缶蓋はいずれも缶蓋本体の板厚を０．２６ｍｍとした。そして、これらの缶蓋を各別に缶体の開口部に巻き締めて缶を形成し、これらの缶の内圧を変えたときの、前記引き上げ部１５ｄの下面と缶蓋本体上面１０ａとの距離（以下、「隙間」という）を測定した。
この結果、図４に示すように、比較例では、缶内圧値にかかわらず、実施例１および２と比べて前記隙間が小さく、缶蓋にリベット傾き抑止スコア１８を形成したことにより、缶蓋に良好な開栓性を具備させることが可能になることが確認できた。
【００４２】
次に、前記各々の缶の内圧を０．５５ＭＰａまで上昇させた後に、大気圧まで減圧し、その後、さらに０．２０ＭＰａまで上昇させたときに、それぞれの状態での前記隙間を測定した。
この結果、図５に示すように、比較例では、缶内圧値の変動にかかわらず、実施例１および２と比べて前記隙間が小さく、缶蓋にリベット傾き抑止スコア１８を形成したことにより、缶蓋に缶内圧の変動履歴が付与された場合、例えば缶にレトルト殺菌処理が施された場合においても、この缶蓋に良好な開栓性を具備させることが可能になることが確認できた。
【００４３】
さらに、前記実施例２の缶蓋において、リベット中心軸Ｏが、缶蓋本体上面１０ａに直交する直線に対して、タブ１５の前記他端部１５ｂ側になす角度、つまりリベット傾斜角度を測定したところ、約３．０°であることが確認された。そして、この缶蓋を缶体の開口部に巻き締めて缶とした後に、該缶に内圧を０．２ＭＰａかけたときの前記リベット傾斜角度を測定したところ、約１．０°であることが確認された。
その一方、前記従来の缶蓋の前記リベット傾斜角度は、約４．５°であることが確認されるとともに、この缶蓋を用いて缶を形成し、該缶に内圧を０．２ＭＰａかけたときの前記リベット傾斜角度は、約４．０°であることが確認された。
以上により、前記実施例２の缶蓋は、前記缶において、その内圧が上昇した場合、つまり陽圧缶の場合に、前記リベット傾斜角度がさらに小さくなり、リベット１１の前記他端部１５ｂの下面と、缶蓋本体上面１０ａとの隙間がより大きくなって、該隙間に容易に指を入り込ませることが可能になることが確認できた。
【００４４】
なお、本発明の技術的範囲は前記実施の形態に限定されるものではなく、本発明の趣旨を逸脱しない範囲において種々の変更を加えることが可能である。例えば、前記実施形態では、リベット傾き抑止スコア１８および補助スコア１８ａを、図３のように、断面視台形状とした構成を示したが、例えば三角形状のもの、すなわち前記底面１８ｂを有さないものや、左右非対称の形状のもの、断面視円弧形状のもの、あるいは断面視Ｖ字状であってもよく、その形状は前記実施形態のものに限られるものではない。
また、主スコア１８とリベット傾き抑止スコア１８と補助スコア１８ａとを形成する順は、特に限定されるものではない。
さらに、リベット傾き抑止スコア１８を、缶蓋本体上面１０ａを平面視して、その両端部を結ぶ仮想直線Ｌがリベット１１の外周縁を通るように位置させたが、該外周縁よりもタブ１５の前記他端部１５ｂ側における外方を通るように位置させてもよい。
【産業上の利用可能性】
【００４５】
リベットの傾きを抑止し、良好な開栓性を具備させることができる缶蓋を提供する。
【図面の簡単な説明】
【００４６】
【図１】本発明の缶蓋の一実施形態として示した（ａ）缶蓋の平面図、および（ｂ）Ｂ−Ｂ線矢視断面図である。
【図２】図１に示す缶蓋のＡ−Ａ線矢視断面図である。
【図３】図２に示す缶蓋の一部拡大図である。
【図４】缶蓋にリベット傾き抑止スコアを形成したことによる作用効果を立証した第１の試験結果を示す図である。
【図５】缶蓋にリベット傾き抑止スコアを形成したことによる作用効果を立証した第２の試験結果を示す図である。
【符号の説明】
【００４７】
１０  缶蓋本体
１０ａ  缶蓋本体の上面
１１  リベット
１２  ディンプル
１３  主スコア
１４  開口部
１５  タブ
１５ａ  タブの一端部
１５ｂ  タブの他端部
１５ｃ  フィンガーホール
１５ｄ  引き上げ部（第１周壁部）
１５ｅ  第２周壁部
１８  リベット傾き抑止スコア
１８ａ  補助スコア
２０ａ  コイニング部
Ｌ  仮想直線
【図１】
2005335808.tif 000003
【図２】
2005335808.tif 000004
【図３】
2005335808.tif 000005
【図４】
2005335808.tif 000006
【図５】
2005335808.tif 000007